(57)【特許請求の範囲】
【請求項１】
より対線インターフェースと光インターフェースとを備え、
前記より対線インターフェースに入力された電気信号のデータを、光信号に変換して前記光インターフェースに接続している光ファイバへ出力し、
前記光インターフェースに入力された光信号のデータを、電気信号に変換して前記より対線インターフェースに接続しているより対線へ出力するＬＡＮ用コンバータであって、
前記より対線インターフェースを介して受信したデータの異常を検知し、より対線インタフェース側異常検知信号を出力するより対線インタフェース側異常検知手段と、
前記光インターフェースを介して受信したデータの異常を検知し、光インターフェース側異常検知信号を出力する光インタフェース側異常検知手段と、
前記より対線インタフェース側異常検知信号のみが出力された場合には、前記光インターフェースから回線へ異常を通知する旨の信号を出力し、前記光インタフェース側異常検知信号のみが出力された場合または前記より対線インタフェース側異常検知信号と前記光インタフェース側異常検知信号の両方が出力された場合のいずれかの場合には、前記より対線インターフェースから回線へ異常を通知する旨の信号を出力するリンクコントロール手段と、
前記光インターフェースから回線へ異常を通知する旨の信号に基づき、前記光インターフェースから回線へ異常を通知するより対線インターフェース側異常通知手段と、
前記より対線インターフェースから回線へ異常を通知する旨の信号に基づき、前記より対線インターフェースから回線へ異常を通知する光インターフェース側異常通知手段と、
を具備することを特徴とするＬＡＮ用コンバータ。
【請求項２】
前記より対線インタフェース側異常検知手段は、信号断または信号のエラーレートが一定値を超えたことを検出してより対線インタフェース側異常検知信号を出力し、
前記光インタフェース側異常検知手段は符号則違反信号の受信または、光パワーが一定値以下であることを検出して光インターフェース側異常検知信号を出力する
ことを特徴とする請求項１記載のＬＡＮ用コンバータ。
【発明の詳細な説明】
【０００１】
【発明の属する技術分野】
本発明は、ＬＡＮにおける通信状態の異常通知機能を備えたＬＡＮ用コンバータに関する。
【０００２】
【従来の技術】
図４は、光コンバータを用いたＬＡＮの例を示す図である。この図において、４１はスイッチングＨＵＢ（ハブ）であり、ネットワーク監視用端末装置（図示略）が接続されているとともに複数のコンピュータが接続され、ＬＡＮが構築されている。４２はより対線であり、例えば１０ＢＡＳＥ−Ｔや、１００ＢＡＳＥ―ＴＸが使用される。
【０００３】
４３は光コンバータであり、一端はより対線４２を介してスイッチングＨＵＢと接続されており、もう一端は光ファイバ４４を介して対向する光コンバータ４５に接続されている。光コンバータ４５は、より対線４６を介してスイッチングＨＵＢ４７に接続されている。スイッチングＨＵＢ４７にはネットワーク監視用端末装置４８が接続されているとともに、複数のコンピュータが接続されておりＬＡＮが構築されている。ネットワーク監視用端末装置４８は、ネットワーク監視用のソフトウェアを用いてＬＡＮ機器のリンク機能をモニタすることにより、通信状態が正常かどうかを監視し、通信状態をディスプレイに表示する機能を持っている。
【０００４】
通常、スイッチングＨＵＢなどのＬＡＮ機器は、より対線などが接続されるポートごとに、通信が正常に行われる状態にあるかどうかを判断し、それを表示する機能（リンク機能）を持っている。そして同様に、光コンバータはより対線、および光ファイバのリンク状態をモニタしそれぞれのリンク状態が正常かどうかを判断し、本体上に表示する機能を持っている。
【０００５】
今、図４に示すようなＬＡＮ形態で、例えばより対線４６が断線する異常が発生したとする。そのような場合、まずスイッチングＨＵＢ４７がリンクの異常を検知する。そして、ネットワーク監視用端末装置４８は、スイッチングＨＵＢ４７のリンク機能をモニタすることにより異常を検出することができる。
しかし、光コンバータ４５は、リンクの状態を本体上に表示するだけなので、光ファイバ４４を介して対向する光コンバータ４３、およびスイッチングＨＵＢ４１には、より対線４６の断線が通知されない。この結果、スイッチングＨＵＢ４１側のＬＡＮを監視しているネットワーク監視用端末装置はリンク異常を検知することができないという欠点があった。
【０００６】
【発明が解決しようとする課題】
本発明はこのような事情に鑑みてなされたもので、通信伝送路のどこで異常が発生しても、接続されているＨＵＢにリンク状態の異常を通知する事ができるＬＡＮ用コンバータを提供することを目的とする。
【０００７】
【課題を解決するための手段】
本発明は、上述の課題を解決すべくなされたもので、より対線インターフェースと光インターフェースとを備え、前記より対線インターフェースに入力された電気信号のデータを、光信号に変換して前記光インターフェースに接続している光ファイバへ出力し、前記光インターフェースに入力された光信号のデータを、電気信号に変換して前記より対線インターフェースに接続しているより対線へ出力するＬＡＮ用コンバータであって、前記より対線インターフェースを介して受信したデータの異常を検知し、より対線インタフェース側異常検知信号を出力するより対線インタフェース側異常検知手段と、前記光インターフェースを介して受信したデータの異常を検知し、光インターフェース側異常検知信号を出力する光インタフェース側異常検知手段と、前記より対線インタフェース側異常検知信号のみが出力された場合には、前記光インターフェースから回線へ異常を通知する旨の信号を出力し、前記光インタフェース側異常検知信号のみが出力された場合または前記より対線インタフェース側異常検知信号と前記光インタフェース側異常検知信号の両方が出力された場合のいずれかの場合には、前記より対線インターフェースから回線へ異常を通知する旨の信号を出力するリンクコントロール手段と、を具備することを特徴とするＬＡＮ用コンバータである。
【０００８】
また本発明は、上述のＬＡＮ用コンバータにおいて、前記より対線インタフェース側異常検知手段は、信号断または信号のエラーレートが一定値を超えたことを検出してより対線インタフェース側異常検知信号を出力し、前記光インタフェース側異常検知手段は符号則違反信号の受信または、光パワーが一定値以下であることを検出して光インターフェース側異常検知信号を出力することを特徴とする。
【０００９】
また、ＬＡＮ用コンバータにおいて、第２の異常通知手段（光インターフェース側異常通知手段）は、第１のインターフェース（より対線インターフェース）からのデータの送受信を遮断することによって、回線の異常を通知してもよく、これにより、第１のインターフェース（より対線インターフェース）にメタリック回線を介して接続されているいかなる種類のＬＡＮ機器に対しても光ファイバ回線の異常を通知することが可能となる。また、ＬＡＮ用コンバータにおいて、第１の異常通知手段（より対線インターフェース側異常通知手段）は、第２の異常検知手段（光インターフェース側異常検知手段）で回線の異常が検知された場合、アイドル信号を第２のインターフェース（光インターフェース）から回線へ出力してもよく、この場合、第１の異常検知手段（より対線インターフェース側異常通知手段）で検知された回線の異常が除去されると同時に、自動的にリンク断状態から復帰することができる。
【００１０】
【発明の実施の形態】
以下、図３、および図４を参照し、本発明の第１の実施形態について説明する。図３は、この発明の一実施形態による光コンバータの概略を示すブロック図である。また、本光コンバータの説明をするにあたり、図４の光コンバータ４３を例に挙げ説明する。
図３において、３１は、より対線インターフェースであり、図４のより対線４２と接続している。３２は制御部であり、より対線インターフェース３１と光インターフェース３３間のデータの送受信は、この制御部３２を介して行われる。光インターフェース３３は図４の光ファイバ４４と接続している。
【００１１】
また、より対線インターフェース３１は、電気信号を受信する受信回路３１２と、電気信号を送信する送信回路３１１により構成されている。光インターフェース３３は、光信号を送信する送信回路３３１および、光信号を受信する受信回路３３２により構成されている。
今、図４のより対線４２を介して受信回路３１２に入力された信号が途切れた場合、あるいは入力された信号のエラーレートが一定値を超えた場合、受信回路３１２はより対線４２の回線の品質が一定値を下回った状態になったと判断し、その状態を伝えるために制御部３２により対線リンク断（Ｌｉｎｋ  Ｆａｉｌ）の信号を出力する。制御部３２は、より対線リンク断の通知を光インターフェース３３内の送信回路３３１へ出力する。そして、送信回路３３１は、光ファイバ４４へ異常通知信号を送信する。
【００１２】
次に、光ファイバ４４を介して光コンバータ４５が発信した異常通知信号を受信した場合、あるいは光ファイバ４４の光パワーが一定値を下回った場合、受信回路３３２は、光ファイバ４４のリンク断と判断し制御部３２へ光ファイバリンク断の信号を出力する。そして、制御部３２は光ファイバリンク断の信号を受信すると、より対線インタフェース３１の電源供給を停止する信号を出力する。そして、インターフェース３１への電源供給が停止されることにより、より対線４２への信号出力が停止される。これにより、光ファイバ４４のリンク断はスイッチングＨＵＢ４１に通知される。
【００１３】
なお、ここで、受信回路３３２は、光コンバータ４５が発信した異常通知信号を光ファイバ４４のリンク断と判断している。これは、受信回路３３２がどこの回線で異常が発生しているのか、特に区別していないためである。このため、光コンバータ４３よりも右側で生じた回線の異常はすべて光ファイバ４４のリンク断とみなされ、光ファイバリンク断の信号が制御部３２へ出力される。
【００１４】
また、光ファイバインターフェース３３のリンク断とより対線インターフェース３１のリンク断が同時に起こった場合は、より対線インターフェース３１の電源供給を停止してより対線４２へのデータ出力を停止するとともに、光ファイバ４４を介して接続される光コンバータ４５へはアイドル信号を出力する。
【００１５】
次に、本発明の光コンバータの構成について更に詳細に説明する。
図１は、本発明の第１の実施形態による光コンバータの構成を示すブロック図である。１は電気信号の送受信が行われるより対線インターフェースである。より対線インタフェース１を介して入力されたデータは、レシーバ２に入力される。そして、レシーバ２に入力されたデータは、符号誤り検出回路３、直並列変換回路４、およびＰＬＬ（位相同期回路）５に入力される。
【００１６】
符号誤り検出回路３は、レシーバ２から入力されたデータに異常がないか判断する。この結果、異常を検知した場合は“Ｈ（ハイ）”の信号ＤＴ１を、異常が検出されなかった場合は“Ｌ（ロー）”の信号ＤＴ１を、リンクコントロール部１９に出力する。ＰＬＬ５は、入力されたデータからクロック信号を抽出し、直並列変換回路４、タイミング調整回路６、および並直列変換回路８に出力する。
【００１７】
直並列変換回路４は入力されたデータを直列／並列変換し、タイミング調整回路６へ出力する。タイミング調整回路６は、入力されたデータのタイミング調整を行って、並直列変換回路８に出力する。異常通知信号生成部７は、リンクコントロール部１９より入力された信号ＤＴ５に対応する信号を並直列変換回路８に出力する。並直列変換回路８は入力されたデータを並列／直列変換し、光送信部９に出力する。光送信部９は、入力された直列データを所定のプロトコルに従ってデータ変換し、光インターフェース１０へ出力する。
【００１８】
光インターフェース１０は、光送信部９から出力される信号を光信号に変換して光ファイバへ出力し、また、光ファイバを介して入力される光信号を電気信号に変換して光受信部１１へ出力する。光受信部１１は、入力されたデータを光パワーモニタ１２、ＰＬＬ１３、直並列変換回路１４、および符号誤り検出回路１５に出力する。
【００１９】
光パワーモニタ１２は、光ファイバ４４からの光パワーが一定値以下になった場合に、信号ＤＴ２を“Ｈ”にして出力する。光パワーが一定値以上の場合は、信号ＤＴ２は“Ｌ”である。また、符号誤り検出回路１５は、光受信部１１から入力された信号の異常検出を行う。そして、異常を検出した場合は信号ＤＴ３を“Ｈ”にして出力する。異常が検出されなかった場合は、信号ＤＴ３は“Ｌ”である。上述した信号ＤＴ２、および信号ＤＴ３はＯＲ回路（図示略）に入力される。そして、ＯＲ回路は、これらのオアーをとり、その結果を信号ＤＴ４として出力する。すなわち、入力信号である信号ＤＴ２、および信号ＤＴ３のどちらか一方が“Ｈ”であれば、信号ＤＴ４は“Ｈ”として出力される。そして、ＯＲ回路からの出力信号ＤＴ４はリンクコントロール部１９に入力される。
【００２０】
ＰＬＬ１３は入力されたデータからクロック信号を抽出し、直並列変換回路１４、タイミング調整回路１６および、並直列変換回路１７にデータを出力する。直並列変換回路１４は、入力された信号を直列／並列変換しタイミング調整回路１６へ出力する。タイミング調整回路１６は、入力されたデータのタイミング調整を行い、並直列変換回路１７へ出力する。並直列変換回路１７は入力されたデータを並列／直列変換し、ドライバ１８へ出力する。ドライバ１８は入力された直列データをより対線インターフェース１に出力する。リンクコントロール部１９は、入力された信号ＤＴ１、および信号ＤＴ４に応じて信号ＤＴ５を“Ｈ”もしくは“Ｌ”にし、異常通知信号生成部７に出力する。また、同様に信号ＤＴ６を“Ｈ”もしくは“Ｌ”にし、ＩＣ（集積回路）２０の電源供給を制御するパワーダウンピン（図示略）へ出力する。
【００２１】
なお、ＩＣ２０は、上述したレシーバ２、符号誤り検出回路３、直並列変換回路４、ＰＬＬ５、並直列変換回路１７、およびドライバ１８を内蔵している。
また、ＩＣ２１は、異常通知信号生成部７、並直列変換回路８、ＰＬＬ１３、直並列変換回路１４、および符号誤り検出回路１５を内蔵している。
【００２２】
次に、図１のリンクコントロール部１９について更に詳細に説明する。図２は、リンクコントロール部１９の構成を示す回路図である。この図において、１９１はインバータ、１９２はＡＮＤ回路である。インバータ１９１は、入力された信号ＤＴ４を反転した信号ＤＴ４−１を出力する。そして、信号ＤＴ４−１と信号ＤＴ１は、ＡＮＤ回路１９２に入力される。ＡＮＤ回路１９２はこれらの入力信号のアンドをとり、その結果を信号ＤＴ５として出力する。
【００２３】
次に、図４の光コンバータ４３を例に挙げ、上述した回路の動作について図１、図４を参照して、まず、より対線４２側で異常が発生した場合について説明する。
図１において、まず、図４のより対線４２からの電気信号は図１のより対線インターフェース１およびレシーバ２を介して符号誤り検出回路３に入力される。符号誤り検出回路３は、入力された信号に異常があるかを判断する。この結果、より対線４２からの電気信号に異常（例えば、より対線からの信号が途切れるあるいは、より対線からの信号のエラーレートが一定値を超える等）が検出されたとする。この場合、符号誤り検出回路３は、より対線４２のリンク断と判断し、信号ＤＴ１を“Ｈ”にしてリンクコントロール部１９に出力する。
【００２４】
この時、光インターフェース側では異常が検知されていないとすると、ＤＴ４は“Ｌ”である。従って、リンクコントロール部１９へは、“Ｈ”である信号ＤＴ１および“Ｌ”である信号ＤＴ４が入力される。この結果、リンクコントロール部１９は、信号ＤＴ５を“Ｈ“、信号ＤＴ６を”Ｌ“として出力する。
【００２５】
ＤＴ５が”Ｈ“となって異常通知信号生成部７に入力されると、異常通知信号生成部７は、より対線リンク断を通知する信号を並直列変換回路８に出力する。そして、この信号は並直列変換回路８、光送信部９、光インターフェース１０を介して図４の光ファイバ４４へと送信される。そして、より対線リンク断を通知する信号は、光ファイバ４４を介して対向する光コンバータ４５に入力される。これにより、より対線リンク断が対向する光コンバータ４５に通知され、この結果、ネットワーク監視用端末装置４８は、より対線４２がリンク断であることを検知することができる。
【００２６】
次に、光ファイバ側で異常が発生した場合について説明する。
図４の光ファイバ４４を介して対向する光コンバータ４５から、より対線４６のリンク断を通知するための異常通知信号を受信した場合、この異常通知信号は図１の符号誤り検出回路１５へ入力される。この異常通知信号は、故意に符号則違反をさせた信号であり、符号誤り検出回路１５はこの異常通知信号を受信すると信号ＤＴ３を“Ｈ”とする。
また、光ファイバ４４からの信号のエラーレートが一定値を超えた場合も、符号誤り検出回路１５は信号ＤＴ３を“Ｈ”として出力する。
【００２７】
同様に、光ファイバ４４からの光パワーが一定値以下であった場合は、光パワーモニタ部１２は信号ＤＴ２を“Ｈ”にして出力する。信号ＤＴ２、またはＤＴ３が“Ｈ”になると、信号ＤＴ４が“Ｈ”となる。この時、図４のより対線４２側では異常が発生していないとすると信号ＤＴ１は“Ｌ”である。従って、リンクコントロール部１９へは、“Ｌ”である信号ＤＴ１および、“Ｈ”である信号ＤＴ４が入力される。この結果、リンクコントロール部１９は、信号ＤＴ５を“Ｌ”、信号ＤＴ６を“Ｈ”として出力する。
【００２８】
信号ＤＴ６が“Ｈ”となってＩＣ２０の電源供給を制御するパワーダウンピンに入力されると、ＩＣ２０は電源ＯＦＦ状態となる。これにより、より対線インターフェース１を介してのデータの送受信が停止する。この結果、図４の光コンバータ４３より右側にある回線のリンク断がスイッチングＨＵＢ４１へ通知される。
また、光コンバータ４５も同様に光ファイバ４４側の異常を検知し、より対線４６側のデータ送受信を停止する。この結果、回線の異常がスイッチングＨＵＢ４７へも通知される。
【００２９】
一方、信号ＤＴ５が“Ｌ”となって異常通知信号生成部７に入力されると、異常通知信号生成部７は、異常が発生していないことを伝えるために、アイドル信号を並直列変換回路８に出力する。そして、このアイドル信号は、並直列変換回路８、光送信部９、光インターフェース１０を介して図４の光ファイバ４４に送信され、対向する光コンバータ４５に入力される。
【００３０】
次に、より対線４２側、および光ファイバ４４側で同時に異常が起こった場合は、信号ＤＴ１、および信号ＤＴ４が“Ｈ””となる。その結果、リンクコントロール部１９へは、“Ｈ”である信号ＤＴ１および“Ｈ”である信号ＤＴ４が入力されることとなる。このような信号が入力されるとリンクコントロール部１９は、信号ＤＴ５を“Ｌ“、信号ＤＴ６を”Ｈ“として出力する。
【００３１】
”Ｈ“となったＤＴ６がＩＣ２０の電源供給を制御しているパワーダウンピンへ入力されると、ＩＣ２０の電源はＯＦＦされる。これにより、図４のより対線４２への信号送信は停止される。この結果、図４の光コンバータ４３より右側に接続されている回線のリンク断がスイッチングＨＵＢ４１へ通知される。
また、光コンバータ４５も同様に光ファイバ４４側の異常を検知し、より対線４６側のデータ送受信を停止する。この結果、回線の異常がスイッチングＨＵＢ４７へも通知される。
【００３２】
また、“Ｌ”となった信号ＤＴ５が異常通知信号生成部７に入力されると、異常通知信号生成部７はアイドル信号を並直列変換回路８に出力する。そして、このアイドル信号は、並直列変換回路８、光送信部９、光インターフェース１０を介して図４の光ファイバ４４に送信され、対向する光コンバータ４５に入力される。
この場合、異常通知信号生成部７がアイドル信号を光コンバータ４５へ出力することによって、後に、図４の光ファイバ４４の異常が除去された時、それと同時に対向する光コンバータ４５の光インターフェース側はリンク断状態から復帰することができる。
【００３３】
以上により、より対線側、および光ファイバ側のいずれの回線で異常が発生しても、スイッチングＨＵＢ４１、およびスイッチングＨＵＢ４７にて異常を検知することができ、また、回線の異常が復帰すれば自動的にリンク断状態から復帰することができる。
【００３４】
なお、本発明のＬＡＮ用コンバータは送受信信号が電気信号および光信号と異なるため、より対線用の異常検知回路であるＩＣ２０と、光ファイバ用の異常検知回路であるＩＣ２１および光受信部１１、光パワーモニタ１２を設けている。
そして、より対線用の異常探知回路に代わって、光ファイバ用の異常探知回路をもう一つ設けることにより、図５に示すような光ファイバ間のデータの中継に使用される光中継器５０にも異常探知機能を付加することができる。
【００３５】
次に、図６は本発明の第２の実施形態による光コンバータの構成を示すブロック図である。図６に示された本実施形態による光コンバータのＩＣ２０−１は、図１に示された第１の実施形態による光コンバータのＩＣ２０の構成とほぼ同じであるが、更に異常通知信号生成部２２が内蔵されている。そして、この異常通知信号生成部２２はリンクコントロール部１９と、並直列変換回路１７の間に設置されている。
【００３６】
このような構成の光コンバータで、光ファイバリンク断の異常が検知されたとすると、“Ｈ”である信号ＤＴ４がリンクコントロール部１９へ入力される。この結果、リンクコントロール部はＤＴ６を”Ｈ“として異常通知信号生成部２２に出力する。異常通知信号生成部２２は、光ファイバリンク断を通知する信号を並直列変換回路１７に出力する。そして、この信号は並直列変換回路１７、ドライバ１８、より対線インターフェース１を介して図４のスイッチングＨＵＢ４１へ送信される。
【００３７】
このように、第２の実施形態においては、異常通知信号生成部２２から光ファイバ側の異常を通知する信号をより対線インターフェース１からスイッチングＨＵＢ４１へ送信することにより、スイッチングＨＵＢ４１へ光ファイバ４４のリンク断を通知することができる。
【００３８】
【発明の効果】
以上説明したように、本発明によれば、第１のインターフェースを介して受信したデータの異常を検知し、第１の異常検知信号を出力する第１の異常検知手段と、第２のインターフェースを介して受信したデータの異常を検知し、第２の異常検知信号を出力する第２の異常検知手段と、前記第１の異常検知信号に基づき、前記第２のインターフェースから回線へ異常を通知する第１の異常通知手段と、前記第２の異常検知信号に基づき、前記第１のインターフェースから回線へ異常を通知する第２の異常通知手段とを設けている。
【００３９】
これにより、通信媒体のどこで異常が発生しても、その異常は本発明のＬＡＮ用コンバータで検知され、第１および第２のインターフェースに回線を介して接続されているＬＡＮ機器にリンク状態の異常として通知される。この結果、ネットワーク管理用端末でリンクの異常を検出することが可能となる。
【図面の簡単な説明】
【図１】この発明の第１の実施形態による光コンバータの構成を示すブロック図である。
【図２】図１におけるリンクコントロール部１９の構成を示す回路図である。
【図３】図１に示す光コンバータの概略図を示すブロック図である。
【図４】光コンバータを用いたＬＡＮの構成例を示すブロック図である。
【図５】光コンバータを用いたＬＡＮの構成例を示すブロック図である。
【図６】この発明の第２の実施形態による光コンバータの構成を示すブロック図である。
【符号の説明】
１…より対線インターフェース、２…レシーバ、３…符号誤り検出回路、４…直並列変換回路、５…ＰＬＬ（位相同期回路）、６…タイミング調整回路、７…異常通知信号生成部、８…並直列変換回路、９…光送信部、１０…光インターフェース、１１…光受信部、１２…光パワーモニタ、１３…ＰＬＬ、１４…直並列変換回路、１５…符号誤り検出回路、１６…タイミング調整回路、１７…並直列変換回路、１８…ドライバ、１９…リンクコントロール部、２０…ＩＣ（集積回路）、２０−１…ＩＣ、２１…ＩＣ、２２…異常通知信号生成部、３１…より対線インターフェース、３２…制御部、３３…光インターフェース、３１１…送信回路、３１２…受信回路、３３１…送信回路、３３２…受信回路、４１…スイッチングＨＵＢ（ハブ）、４２…より対線、４３…光コンバータ、４４…光ファイバ、４４−１…光ファイバ、４４−２…光ファイバ、４５…光コンバータ、４６…より対線、４７…スイッチングＨＵＢ、４８…ネットワーク監視用端末装置、５０…光中継器
【図１】
0003623396.tif 000002
【図２】
0003623396.tif 000003
【図３】
0003623396.tif 000004
【図４】
0003623396.tif 000005
【図５】
0003623396.tif 000006
【図６】
0003623396.tif 000007